(57)【特許請求の範囲】
【請求項１】
配管の外周に成形断熱材を積層して成る低温流体輸送配管の保冷構造において、積層される前記成形断熱材は割り筒型成形断熱材を配管の円周方向および管軸方向に突き合わせたものであり、前記成形断熱材の層間に、内層側の成形断熱材を損傷させることなく外層側の成形断熱材の解体を容易にするための、ＪＩＳ
Ｃ ２３１８端裂抵抗４９Ｎ（２０ｍｍ幅）以上を有する耐貫通性に優れた保護材が介在されていて、前記保護材は外層側の成形断熱材の管軸方向の目地部分に対向する内層側の成形断熱材の表面部位に介在されていることを特徴とする低温流体輸送配管の保冷構造。
【請求項２】
前記保護材は、ＪＩＳ Ｃ ２３１８端裂抵抗４９Ｎ（２０ｍｍ幅）以上の耐貫通性を有する金属薄板、金属箔テープ、金属箔複合テープ、ＰＥＴ・ポリイミドフィルムから選択使用されている請求項１に記載の低温流体輸送配管の保冷構造。
【発明の詳細な説明】
【０００１】
【発明の属する技術分野】
本発明は、ＬＮＧ，ＬＰＧ，エチレン，ＬＮ２，ＬＯＸ，ＤＭＥ，エチレングリコール等の低温流体を扱う輸送配管の保冷構造の改良に関する。
【０００２】
【従来の技術】
従来、低温流体を扱う輸送配管の保冷構造として、保冷厚さが７５ｍｍを越える場合、または流体温度が−５０℃を下回る場合、２層以上の保冷構造が多用されている。
【０００３】
図６は２層の保冷構造を示したもので、配管１の外周面は、内層側の断熱材として硬質ポリウレタンフォーム等の割り筒型成形断熱材２で被覆してあり、これを金属バンド３で固定する。
【０００４】
上記内層断熱材の外周面は、外層断熱材として、防湿材が一体成形されたポリウレタンフォームを用いた割り筒型成形断熱材７で被覆してあり、これをバンド８で固定し、断熱材７の円周方向の突き合わせ目地部分および管軸方向の突き合わせ目地部は、油性ジョイントシーラー、ウレタン系、エポキシ系などの低温用接着剤、またはポリウレタンフォームの現場発泡注入による目地材９ａ，９ｂを充填し、その上をブチルゴムを基材とした防湿粘着テープ１０，１１で被覆し、さらに外層材の表面に油性・合成ゴム系マスチックを塗布し、金属外装材１２を巻き付ける。
【０００５】
【発明が解決しようとする課題】
上記成形断熱材による保冷構造は、使用されるマスチック・防湿フィルムの経年劣化や施工時の隙間等の原因で、施工当初の性能が維持できず、劣化する場合が多く、施工後１０〜２０年で交換を必要とする場合が多い。
【０００６】
この場合、成形断熱材の突き合わせ目地部や、外層側の成形断熱から劣化が進行する場合が多く、これらが吸水・氷結しても内層側の成形断熱が健全である場合が多い。
【０００７】
しかし、成形断熱材の交換を行う場合、外層側の成形断熱材の目地部に施した接着剤・シール剤あるいは注入発泡材等により、外層側の成形断熱材が内層側成形断熱材に接着固定されている場合が多く、解体作業も鋸・包丁・バール等の手工具を使用して行うため、外層側成形断熱材のみの解体はできず、内層成形断熱材も取り外す必要がある。
【０００８】
上述したように、従来の内層・外層の成形断熱材による保冷構造では、外層側の成形断熱材のみが劣化している場合でも、内層側の成形断熱材も含めて全ての既設断熱材を交換せざるを得ない。このため、交換に必要とする成形断熱材も多く、廃棄物も多く発生するため、多額の修繕費用を必要とする。
【０００９】
本発明は、上記問題に鑑みてなされたものであって、内層側の成形断熱材を損傷させることなく外層側の成形断熱材のみを容易に解体可能とした低温流体輸送配管の保冷構造を提供することを主たる目的とする。
【００１０】
【課題を解決するための手段】
本発明は、上記目的を達成するため、請求項１の発明は、配管の外周に成形断熱材を積層して成る低温流体輸送配管の保冷構造において、積層される前記成形断熱材は割り筒型成形断熱材を配管の円周方向および管軸方向に突き合わせたものであり、前記成形断熱材の層間に、内層側の成形断熱材を損傷させることなく外層側の成形断熱材の解体を容易にするための、ＪＩＳ
Ｃ ２３１８端裂抵抗４９Ｎ（２０ｍｍ幅）以上を有する耐貫通性に優れた保護材が介在されていて、前記保護材は外層側の成形断熱材の管軸方向の目地部分に対向する内層側の成形断熱材の表面部位に介在されていることを要旨としている。
【００１４】
請求項２の発明は、請求項１において、保護材は、ＪＩＳ Ｃ ２３１８端裂抵抗４９Ｎ（２０ｍｍ幅）以上の耐貫通性を有する金属薄板、金属箔テープ、金属箔複合テープ、ＰＥＴ・ポリイミドテープから選択使用されていることを要旨としている。
【００１５】
【発明の実施の形態】
本発明の好ましい実施の形態を図１〜図３に示す。なお、図６と同一または類似する部材には同じ符号が付されている。
図１〜図３において、１は配管、２は硬質ポリウレタンフォームからなる内層側の割り筒型成形断熱材、３は緊縛用金属バンド、４ａ，４ｂは前記内層側の割り筒型成形断熱材の円周方向の突き合わせ目地部および管軸方向の突き合わせ目地部に充填されたグラスウールのクッション材、５は目地部を被覆する金属箔テープ、６は内層側の断熱材の外周面に巻き付けた耐冷性フィルムからなる被覆テープであり、７は硬質ポリウレタンフォームからなる外層側の割り筒型成形断熱材、８は緊縛用バンド、９ａ，９ｂは前記外層側の割り筒型成形断熱材の円周方向の突き合わせ目地部および管軸方向の突き合わせ目地部に充填されたグラスウールのクッション材、１０，１１はその目地部に貼り付けた防湿粘着テープ、１２は金属外装材であって、この外層側の断熱材を装着する前に、外層側の管軸方向の目地部に対向する内層側成形断熱材の表面に保護材１３を介在させた構成としている。
【００１６】
前記保護材１３としては、ＪＩＳ Ｃ ２３１８端裂抵抗４９Ｎ（２０ｍｍ幅）以上を有する耐貫通性に優れた金属薄板、金属箔テープ、金属箔複合テープ、ＰＥＴ・ポリイミド等の耐熱製フィルム・テープ等の使用が好ましい。
【００１７】
上記保冷構造においては、管軸方向に付き合わされた外層側の多数の成形断熱材のうち、劣化による交換を必要とする成形断熱材を解体する場合、外側の成形断熱材の管軸方向の目地部に当る部分に、例えば鋸歯を当て、その成形断熱材を輪切りにする如く切り込み、そこから成形断熱材全体を破砕して除去する。
【００１８】
この場合、切り込み鋸歯が内層側の成形断熱材の表面に接触するようなことがあっても、その表面は耐貫通性を有する保護材１３で被覆されているので、鋸歯による内層側成形断熱材への損傷を防止することができる。
【００１９】
また、上記構成によれば、前記保護材１３による被覆は、外層側の成形断熱材の管軸方向の目地部に対向する表面部分のみでよく、それだけ材料費および施工作業の削減が図れる。
【００２０】
しかし、前記保護材は内層側の成形断熱材の表面全体に被覆してもよい。それによれば外層側の成形断熱材への切り込み位置の制限がなくなるので、作業性の点で有利である。
【００２１】
図４〜図５は、本発明による保冷構造を既設断熱構造と連結する構成を示している。なお、図１〜図３と同一または類似する部材には同じ符号が付されている。
【００２２】
即ち、配管１に施工された既設の成形断熱材１４との境界は、内層側の成形断熱材２の内面、周方向および管軸方向の突き合わせ部分に極低温接着剤４ｃ，４ｄ，４ｅ，４ｆをそれぞれ塗布した後に被覆してあり、既設の成形断熱材１４との突き合わせ部分は内層側の成形断熱材２と積層する構造となっている。
【００２３】
そして、前述した断熱施工と同様に、クッション材４ａ，４ｂおよびプラスチック被覆テープ６を設け、外層側の成形断熱材７を被覆した後、既設の断熱構造部分と内層側の成形断熱材２の外周および端面にウレタン系接着剤を塗布し、ウレタン系接着剤を塗布した外周にクッション材１５を被覆し、周方向の突き合わせ部分にウレタンフォームの注入発泡による断熱材１６を形成した後、防湿テープ１７を貼着してある。１３は外層側の成形断熱材７の管軸方向の目地部分に対向する内層側の成形断熱材２の表面に設けた保護材である。
【００２４】
【発明の効果】
以上詳述したように、本発明によれば、配管の外周に成形断熱材を積層して成る低温流体輸送配管の保冷構造において、成形断熱材の層間に、耐貫通性に優れた保護材が介在されているので、鋸・包丁・バール等の手工具を用いて解体する際、内層側の成形断熱材を損傷させることなく、外層側の成形断熱材のみを解体することができる。
【００２５】
また、これにより劣化した外層側の成形断熱材のみを交換することが可能となり、使用材料の低減化や発生する廃棄物量の低減化が図れる。
【００２６】
加えて、前記保護材の介在により、内層側の成形断熱材の寿命を更に伸ばすことが可能になる。
【００２７】
また、配管内の低温流体の輸送即ち低温の状態で外層側断熱材を交換する際には、前記保護材により内層側断熱材の目地部からの冷気の漏洩防止効果も期待できる。
【図面の簡単な説明】
【図１】本発明の一実施例を示す低温流体輸送配管の保冷構造の斜視図である。
【図２】保冷構造の一部の積層断面図である。
【図３】保冷構造の縦断面図である。
【図４】既設断熱構造と保冷構造との連結部を示す横断面図である。
【図５】図４の縦断面図である。
【図６】従来の低温流体輸送配管の保冷構造の斜視図である。
【符号の説明】
１  配管
２  内層側の成形断熱材
３  金属バンド
４ａ，４ｂ  クッション材
５  金属箔テープ
６  耐冷性フィルムテープ
７  外層側の成形断熱材
８  金属バンド
９ａ，９ｂ  目地材
１０，１１  防湿粘着テープ
１２  金属外装材
１３  保護材
１４  既設の成形断熱材
４ｃ，４ｄ，４ｅ，４ｆ  極低温接着剤
１５  クッション
１６  注入発泡の成形断熱材
１７  防湿テープ
【図１】
0004362751.tif 000002
【図２】
0004362751.tif 000003
【図３】
0004362751.tif 000004
【図４】
0004362751.tif 000005
【図５】
0004362751.tif 000006
【図６】
0004362751.tif 000007